(57)【要約】【課題】浴槽防水パンに点検口を設けることなく、洗い場床および浴槽防水パンの少なくともいずれか一方の下側に配設された排水部材からの漏水確認を容易に行うことができる浴槽防水パンを提供する。【解決手段】洗い場床とは別体として設置され、前記洗い場床に隣接して設けられる浴槽の下方に設置される浴槽防水パンであって、底面部と、前記底面部の周縁部の全周から上方に延在した側壁部と、を備え、前記側壁部のうちで前記洗い場床の側の前記側壁部の少なくとも一部は、可撓性を有し、前記可撓性を有する前記側壁部を水平方向に押圧し変形させることにより、前記洗い場床および前記浴槽防水パンの少なくともいずれか一方の下側に配設された排水部材からの漏水を確認するためのスペースを形成可能としたことを特徴とする浴槽防水パンが提供される。【選択図】図２
2010270533.tif 000002
【特許請求の範囲】
【請求項１】
洗い場床とは別体として設置され、前記洗い場床に隣接して設けられる浴槽の下方に設置される浴槽防水パンであって、
底面部と、
前記底面部の周縁部の全周から上方に延在した側壁部と、
を備え、
前記側壁部のうちで前記洗い場床の側の前記側壁部の少なくとも一部は、可撓性を有し、
前記可撓性を有する前記側壁部を水平方向に押圧し変形させることにより、前記洗い場床および前記浴槽防水パンの少なくともいずれか一方の下側に配設された排水部材からの漏水を確認するためのスペースを形成可能としたことを特徴とする浴槽防水パン。
【請求項２】
前記可撓性を有する前記一部は、上下方向に延在する折返し線を有する蛇腹部を有し、
前記蛇腹部は、水平方向に押圧されることにより変形可能であることを特徴とする請求項１記載の浴槽防水パン。
【請求項３】
前記浴槽は、上面に壁パネルを載置可能な浴槽リムを有し、
前記側壁部と、前記浴槽リムと、は互いに離間して配設され、且つ前記浴槽リムの上面における荷重が前記側壁部には加わらないように配設されたことを特徴とする請求項１または２に記載の浴槽防水パン。
【発明の詳細な説明】
【技術分野】
【０００１】
本発明は、浴槽防水パンに関し、具体的には浴槽の下に配置される浴槽防水パンに関する。
【背景技術】
【０００２】
ユニットバスの中には、例えば、洗い場床と、洗い場床に隣接して設けられ浴槽の下に配置される浴槽防水パンと、を備えたものがある。この浴槽防水パンは、例えば、浴槽に取り付けられる給湯配管や追い炊き配管などの配管接続部から浴槽の下に湯水が漏れた場合であっても、その湯水を受けることができる。そのため、浴槽防水パンは、建物床や建物壁に湯水が漏れることを防止することができる。
【０００３】
また、ユニットバスを施工する際には、洗い場床に対して取り付けられる排水トラップや、浴槽防水パンに対して取り付けられる浴槽排水エルボの締め付けが不十分な場合に発生する水漏れを検査する作業が行われる。この排水トラップや浴槽排水エルボは、洗い場床および浴槽防水パンの下に設けられる。
【０００４】
そこで、浴槽パン（防水パン）に点検孔を設けることにより、浴槽パン下方の排水管の接合部の点検、清掃を可能とした浴室ユニットの防水パンがある（特許文献１）。しかしながら、浴槽パンは湯水を受けるものであるため、漏水の確認を行った後には点検孔を塞ぐ必要があり、また水密的に閉塞させる必要がある。そのため、その水密構造が不十分である場合には、建物床や建物壁に湯水が漏れるおそれがある。さらに、その水密構造を形成するためには、コストがかかるという問題がある。
【先行技術文献】
【特許文献】
【０００５】
【特許文献１】特開２００２−７０１００号公報
【発明の概要】
【発明が解決しようとする課題】
【０００６】
本発明は、かかる課題の認識に基づいてなされたものであり、浴槽防水パンに点検口を設けることなく、洗い場床および浴槽防水パンの少なくともいずれか一方の下側に配設された排水部材からの漏水確認を容易に行うことができる浴槽防水パンを提供する。
【課題を解決するための手段】
【０００７】
上記課題を解決するために本発明に係る浴槽防水パンは、洗い場床とは別体として設置され、前記洗い場床に隣接して設けられる浴槽の下方に設置される浴槽防水パンであって、底面部と、前記底面部の周縁部の全周から上方に延在した側壁部と、を備え、前記側壁部のうちで前記洗い場床の側の前記側壁部の少なくとも一部は、可撓性を有し、前記可撓性を有する前記側壁部を水平方向に押圧し変形させることにより、前記洗い場床および前記浴槽防水パンの少なくともいずれか一方の下側に配設された排水部材からの漏水を確認するためのスペースを形成可能としたことを特徴とする。
【０００８】
本発明では、少なくとも洗い場床側の側壁部は、可撓性を有するため、作業者は、その側壁部を水平方向に押圧することにより変形させることが可能となり、作業者は、変形させた側壁部と洗い場床との間に生じた隙間から排水トラップの漏水確認を行うことができる。浴槽防水パンに点検口などを設ける必要はなく、浴槽防水バンの水密性を確保しつつ排水トラップの漏水確認を行うことができる。
【０００９】
本願請求項２に係る浴槽防水パンは、前記可撓性を有する前記一部は、略上下方向に延在する折り返し線を有する蛇腹部を有し、前記蛇腹部は、水平方向に押圧されることにより変形可能であることを特徴とする。
【００１０】
この態様では、可撓性を有する一部が蛇腹部を有することにより、少なくとも洗い場床側の側壁部をより大きく変形させることができる。つまり、その側壁部は、浴槽防水パンの材料的要素だけでなく構造的要素により可撓性を有することが可能となり、蛇腹部が設けられていない場合と比較するとより大きく変形させることができる。これにより、作業者は、浴槽防水パンの水密性をより確保しつつ排水トラップの漏水確認をより楽に行うことができる。
【００１１】
本願請求項３に係る浴槽防水パンは、前記浴槽は、上面に壁パネルを載置可能な浴槽リムを有し、前記側壁部と、前記浴槽リムと、は互いに離間して配設され、且つ前記浴槽リムの上面における荷重が前記側壁部には加わらないように配設されたことを特徴とする。
【００１２】
この態様では、側壁部は、浴槽リムが受けている荷重を支持できるほどの強度を有する必要はないため、その側壁部に可撓性を付与することができる。そのため、作業者は、浴槽防水パンの水密性をより確保しつつ排水部材からの漏水確認を容易に行うことができる。
【発明の効果】
【００１３】
本発明によれば、浴槽防水パンに点検口を設けることなく、洗い場床および浴槽防水パンの少なくともいずれか一方の下側に配設された排水部材からの漏水確認を容易に行うことができる浴槽防水パンが提供される。
【図面の簡単な説明】
【００１４】
【図１】本発明の実施の形態にかかる浴槽防水パンを備えたユニットバスを表す斜視模式図である。
【図２】本実施形態にかかる浴槽防水パンを備えたユニットバスを表す分解模式図である。
【図３】本実施形態にかかる浴槽防水パンおよび排水トラップの近傍を表す斜視模式図である。
【図４】本実施形態にかかる浴槽防水パンを表す斜視模式図である。
【図５】本実施形態にかかる浴槽防水パンを表す斜視模式図である。
【図６】本実施形態にかかる浴槽防水パンを撓ませる前のユニットバスを側方から眺めた断面模式図である。
【図７】本実施形態にかかる浴槽防水パンを撓ませた状態のユニットバスを側方から眺めた断面模式図である。
【図８】本実施形態にかかる浴槽防水パンを側方から眺めた断面模式図である。
【図９】浴槽防水パンの排水部近傍を拡大して斜めから眺めた断面模式図である。
【発明を実施するための形態】
【００１５】
以下、本発明の実施の形態について図面を参照しつつ説明する。なお、各図面中、同様の構成要素には同一の符号を付して詳細な説明は適宜省略する。  
図１は、本発明の実施の形態にかかる浴槽防水パンを備えたユニットバスを表す斜視模式図である。  
また、図２は、本実施形態にかかる浴槽防水パンを備えたユニットバスを表す分解模式図である。  
また、図３は、本実施形態にかかる浴槽防水パンおよび排水トラップの近傍を表す斜視模式図である。  
なお、図２および図３に表したユニットバスでは、説明の便宜上、浴槽やエプロンなどを適宜省略している。
【００１６】
図１〜図３に表したユニットバスは、図示しない建物床に載置される洗い場架台２１０と、洗い場架台２１０の上に載置される洗い場床１００と、洗い場架台２１０に固定され図示しない建物床に載置される浴槽架台２２０と、浴槽架台２２０の上に載置される浴槽防水パン３００と、浴槽防水パン３００の上に載置される浴槽４００と、洗い場床１００と浴槽４００との間に着脱可能に設置されるバスエプロン５００と、を備える。洗い場床１００と浴槽防水パン３００とは、図２に表したように、別体として設置されている。
【００１７】
洗い場架台２１０は、「アジャスタボルト」などと呼ばれる支持脚２１１を有し、建物床の任意の位置に載置される。  
浴槽架台２２０は、ねじなどの締結部材や溶接や接着などにより洗い場架台２１０に適宜固定されている。浴槽架台２２０は、洗い場架台２１０と同様に、「アジャスタボルト」などと呼ばれる支持脚２２１を有する。これらの支持脚２１１、２２１を適宜調整することにより、洗い場床１００や浴槽防水パン３００や浴槽４００の高さを調整することができる。
【００１８】
浴槽４００は、底面部４０１と、底面部４０１の周縁部の全周から上方に延在した側壁部４０２ａ、４０２ｂ、４０２ｃ、４０２ｄと、上面あるいは上端を形成する浴槽リム４０５と、を有する。また、底面部４０１の外側（使用者が入浴する側とは反対側）には、図２および図３に表したように、浴槽４００内の水を排水可能な排水部４３０が付設されている。排水部４３０は、排水口を有し、浴槽４００内の水は、その排水口を通して排水される。なお、本願明細書において「水」という場合には、冷水のみならず、加熱されたお湯も含むものとする。また、浴槽リム４０５の上には、図示しない壁パネルが載置される。つまり、浴槽４００は、ユニットバスの壁パネルや天井の荷重を受けることができる。
【００１９】
浴槽防水パン３００は、底面部３０１と、底面部３０１の周縁部の全周から上方に延在した側壁部３０２ａ、３０２ｂ、３０２ｃ、３０２ｄと、を有する。側壁部３０２ａ、３０２ｂ、３０２ｃの上端の高さ位置は、浴槽防水パン３００の上に載置された浴槽４００の浴槽リム４０５の高さ位置よりもやや低い。そのため、側壁部３０２ａ、３０２ｂ、３０２ｃの上端と、浴槽リム４０５と、の間には、隙間が存在する。これにより、浴槽リム４０５が受けている壁パネルなどの荷重は、浴槽防水パン３００には加わらない。そのため、浴槽防水パン３００の側壁部３０２ａ、３０２ｂ、３０２ｃ、３０２ｄは、浴槽リム４０５が受けている荷重を支持できるほどの強度を有していなくともよく、後に詳述するように、側壁部３０２ｄに可撓性を付与することができる。
【００２０】
一方、浴槽防水パン３００の側壁部３０２ｄの上端の高さは、浴槽防水パン３００の上に載置された浴槽４００の浴槽リム４０５の高さよりも低く、例えば、浴槽４００の底面部４０１と浴槽リム４０５との中間部程度である。そのため、浴槽防水パン３００の側壁部３０２ｄは、浴槽４００の側壁部４０２ｄの一部を覆うことができる。なお、浴槽防水パン３００の側壁部３０２ｄにより覆われない浴槽４００の側壁部４０２ｄの他部は、バスエプロン５００により覆われる。
【００２１】
浴槽防水パン３００の内側には、図３に表したように、浴槽４００の排水部４３０に接続された排水管４４１が設置されている。一方、浴槽防水パン３００の外側であって洗い場床１００の下側には、排水管４４１に接続された排水管（排水部材）４４２が設置されている。この排水管４４２は、洗い場床１００の下側に付設された排水トラップ（排水部材）１５０に接続されている。つまり、排水管４４１の一端は、浴槽４００の排水部４３０に接続されており、その他端は、排水管４４２に接続されている。また、排水管４４２の一端は、排水管４４１に接続されており、その他端は、排水トラップ１５０に接続されている。なお、排水管４４１、４４２の少なくともいずれかは、洗い場床１００側の側壁部３０２ｄを貫通しており、その貫通した部分では、例えばパッキンなどの水密部材により水密的に取り付けられている。
【００２２】
そのため、浴槽４００の排水部４３０から排水された水は、排水管４４１、４４２を通って排水トラップ１５０に導かれる。そして、排水トラップ１５０に導かれた水は、封水として排水トラップ１５０内に一時的に貯留され、その後、排水トラップ１５０に接続された排水管１６１を通ってユニットバスおよび建物の外に排水される。なお、排水トラップ１５０は、洗い場床１００の下側に締め付けフランジを介して固定されており、導かれた水をその内部に封水として一時的に貯留することにより悪臭や害虫類が浴室内に侵入することを防止することができる。そのため、この締め付け固定が不十分である場合には、その部分から漏水が生ずる場合がある。
【００２３】
また、浴槽防水パン３００は、前述したように、底面部３０１と、底面部３０１の周縁部の全周から上方に延在した側壁部３０２ａ、３０２ｂ、３０２ｃ、３０２ｄと、を有するため、浴槽４００と図示しない給湯配管または追い炊き配管との接続部などから水が漏れた場合であっても、その漏水した水を受けることができる。そして、その受けた水は、浴槽防水パン３００の排水部３１０および排水管３２１を介して排水される。
【００２４】
より具体的には、浴槽防水パン３００の底面部３０１には、図３に表したように、浴槽防水パン３００内の水を排水可能な排水部（排水部材）３１０が設けられている。また、排水部３１０には、排水管（排水部材）３２１の一端が接続されている。排水管３２１は、排水管４４２と同様に、浴槽防水パン３００の外側であって洗い場床１００の下側に設けられており、その他端は、排水トラップ１５０に接続されている。
【００２５】
そのため、浴槽防水パン３００が受けた水は、浴槽防水パン３００の排水部３１０から排水され、排水管３２１を通って排水トラップ１５０に導かれる。そして、排水トラップ１５０に導かれた水は、封水として排水トラップ１５０内に一時的に貯留され、その後、排水トラップ１５０に接続された排水管１６１を通ってユニットバスおよび建物の外に排水される。このようにして、浴槽４００と図示しない給湯配管または追い炊き配管との接続部などから漏水した水は、浴槽防水パン３００により受けられ、排水部３１０および排水管３２１を通って排水トラップ１５０に導かれた後、排水管１６１から排水される。つまり、浴槽防水パン３００は、浴槽架台２２０や建物床などに水が漏れることをより確実に抑制することができる。
なお、排水部３１０は、排水トラップ１５０と同様に、浴槽防水パン３００の下側に締め付けフランジを介して固定されている。これについては、後に詳述する。そのため、排水トラップ１５０と同様に、この締め付け固定が不十分である場合には、その部分から漏水する場合がある。
【００２６】
ここで、図１〜図３に表したようなユニットバスを施工する際には、作業者は、排水トラップ１５０や排水部３１０から水が漏れていないか否かを確認する。その漏水確認は、一般的に、排水トラップ１５０や排水部３１０を直接的に目視したり、鏡などを使用して間接的に目視したり、予め敷設しておいた試験紙を引き上げて確認することにより行われる。しかしながら、浴槽防水パン３００に隣接した洗い場床１００の下側に設けられた排水トラップ１５０や、浴槽防水パン３００の下側に設けられた排水部３１０を直接的にあるいは間接的に目視する、または予め敷設しておいた試験紙を引き上げることは容易ではない。それは、漏水確認するための空間が狭いためである。
【００２７】
そこで、浴槽防水パン３００に点検口を設け、その点検口から排水トラップ１５０を直接的にあるいは間接的に目視することにより漏水を確認する方法が挙げられる。しかしながら、浴槽防水パン３００に点検口を設けると、漏水確認を行った後にその点検口を塞ぐ必要があり、また水密的に閉塞させる必要がある。そのため、点検口の水密構造が不十分である場合には、建物床や建物壁に水が漏れるおそれがあるため好ましくない。さらに、点検口の水密構造を形成するためには、コストがかかるため好ましくない。
【００２８】
これに対して、本実施形態にかかる浴槽防水パン３００を備えたユニットバスでは、作業者は、浴槽防水パン３００の側壁部３０２ｄを洗い場床１００とは反対側、すなわち浴槽４００側に押すことにより、漏水確認するための隙間（スペース）を確保できる。そして、作業者は、その隙間（スペース）から光を当てつつ直接的に目視したり、鏡などを挿入し間接的に目視することにより、排水トラップ１５０や排水部３１０から水が漏れていないか否かを確認することができる。あるいは、作業者は、洗い場床１００や浴槽防水パン３００の下に予め敷設しておいた試験紙をその隙間（スペース）から引き上げ、その引き上げた試験紙を確認することにより、排水トラップ１５０や排水部３１０から水が漏れていないか否かを確認することができる。以下、浴槽防水パン３００の構造および排水トラップ１５０や排水部３１０からの漏水の確認方法について、図面を参照しつつさらに詳細に説明する。
【００２９】
まず、本実施形態にかかる浴槽防水パン３００の構造について説明する。  
図４および図５は、本実施形態にかかる浴槽防水パンを表す斜視模式図である。  
なお、図４は、浴槽防水パン３００を前方（洗い場床１００側）からみたときの斜視模式図であり、図５は、浴槽防水パン３００を後方（洗い場床１００とは反対側）からみたときの斜視模式図である。
【００３０】
本実施形態にかかる浴槽防水パン３００は、図１〜図３に関して前述したように、底面部３０１と、底面部３０１の周縁部の全周から上方に延在した側壁部３０２ａ、３０２ｂ、３０２ｃ、３０２ｄと、を有する。側壁部３０２ｄには、図４および図５に表したように、略上下方向に延在した折返し線を有する蛇腹部３０３が設けられている。つまり、蛇腹部３０３は、浴槽防水パン３００を上方あるいは下方からみたときに略波形の断面を有し、その蛇腹部３０３の山および谷は、略上下方向に延在している。
【００３１】
なお、本実施形態にかかる浴槽防水パン３００では、２つの蛇腹部３０３が形成されているが、これだけに限定されるわけではなく、１つあるいは３つ以上の蛇腹部３０３が形成されていてもよい。また、蛇腹部３０３の折返し線の方向は、厳密に上下方向である必要はなく、斜め方向に延在してもよい。また、２つの蛇腹部３０３の間には、浴槽防水パン３００内の方向へ凹んだ凹部３０５が形成されている。
【００３２】
また、側壁部３０２ｄには、図４および図５に表したように、排水管孔３０７が設けられている。そして、排水管４４１、４４２（図３参照）の少なくともいずれかを排水管孔３０７に通すことにより、排水管４４１と排水管４４２とを接続することができる。なお、排水管４４１、４４２は、排水管孔３０７において水密的に固定される。また、底面部３０１には、図５に表したように、排水部孔３０９が設けられている。そして、浴槽防水パン３００の排水部３１０は、この排水部孔３０９に水密的に固定される。これについては、後に詳述する。
【００３３】
浴槽防水パン３００は、樹脂などにより形成されており、その材料としては、例えばＰＰ（ポリプロピレン：Polypropylene）、ＡＢＳ（アクリロニトリル・ブタジエン・スチレン：Acrylonitrile-Butadiene-Styrene）、ＦＲＰ（繊維強化プラスチック：Fiber Reinforced Plastics）、およびゴムなどが挙げられる。これらの中でも、ＰＰやＡＢＳなどは変形しやすいためより好ましい。また、その厚さは、約１０ｍｍ程度以下であることがより好ましい。
【００３４】
このように、浴槽防水パン３００は、蛇腹部３０３を有し、ＰＰやＡＢＳなどの樹脂により形成されているため、作業者などが図４に表した矢印Ａの方向（水平方向）に側壁部３０２ｄを押すと、その側壁部３０２ｄは変形することができる。より具体的には、作業者などが側壁部３０２ｄを矢印Ａの方向（水平方向）に押すと、側壁部３０２ｄは、浴槽防水パン３００内の方向へ撓むことができる。つまり、側壁部３０２ｄは、可撓性を有する。
【００３５】
例えば、ＰＰにより形成され、図４および図５に表した形状を有する浴槽防水パン３００の場合には、撓み量は、約５０〜６０ミリメートル程度である。側壁部３０２ｄが浴槽防水パン３００内の方向へ撓むと、後に詳述するように、浴槽防水パン３００と、洗い場床１００と、の間の隙間はより大きくなる。そのため、作業者は、より大きくなった隙間から光を当てつつ直接的に目視したり、鏡などを挿入し間接的に目視することにより、排水トラップ１５０や排水部３１０から水が漏れていないか否かを確認することができる。あるいは、作業者は、洗い場床１００や浴槽防水パン３００の下に予め敷設しておいた試験紙をその隙間から引き上げ、その引き上げた試験紙を確認することにより、排水トラップ１５０や排水部３１０から水が漏れていないか否かを確認することができる。
【００３６】
これによれば、浴槽防水パン３００に点検口を設けることなく排水トラップ１５０や排水部３１０からの漏水確認を行うことができる。そのため、点検口を塞いだり水密構造を設ける必要はなく、浴槽防水パン３００の水密性をより確保しつつ排水トラップ１５０や排水部３１０からの漏水確認を行うことができる。また、点検口における水密構造が不要となるため、水密構造のためのコストがかかることはない。
さらに、試験紙を用いて漏水確認を行う場合には、敷設しておいた試験紙から隙間までの経路が短いため、その試験紙をより容易に引き上げることができる。これによれば、試験紙が、洗い場架台２１０や浴槽架台２２０に引っ掛かって破れたり、洗い場床１００や浴槽防水パン３００の下に残ったりするおそれは少ない。また、敷設しておいた試験紙から隙間までの経路が短いため、排水トラップ１５０や排水部３１０以外の部分において、水が試験紙に付着するおそれは少ない。これによれば、排水トラップ１５０や排水部３１０からの漏水確認をより正確に行うことができる。
【００３７】
次に、排水トラップ１５０や排水部３１０などの排水部材からの漏水の確認方法について説明する。  
図６は、本実施形態にかかる浴槽防水パンを撓ませる前のユニットバスを側方から眺めた断面模式図である。  
また、図７は、本実施形態にかかる浴槽防水パンを撓ませた状態のユニットバスを側方から眺めた断面模式図である。
【００３８】
まず、作業者は、洗い場架台２１０と、洗い場床１００と、浴槽架台２２０と、浴槽防水パン３００と、浴槽４００と、を所定位置に適宜設置する。続いて、洗い場床１００あるいは浴槽４００内に水を流す。このとき、作業者は、浴槽防水パン３００の側壁部３０２ｄを図６に表した矢印Ａの方向（水平方向）に押す。そうすると、その側壁部３０２ｄは、図７に表したように、浴槽防水パン３００内の方向へ、すなわち洗い場床１００とは反対側へ撓む。これは、図４および図５に関して前述したように、側壁部３０２ｄに蛇腹部３０３が設けられ、浴槽防水パン３００がＰＰやＡＢＳなどの樹脂により形成されているためである。
【００３９】
なお、側壁部３０２ｄを矢印Ａの方向に押すときには、２つの蛇腹部３０３の間の部分、あるいは凹部３０５近傍を押すことがより好ましい。これによれば、側壁部３０２ｄの中央部（凹部３０５近傍）を洗い場床１００とは反対側へより大きく撓ませることができ、また、排水トラップ１５０の設置位置に隣接した側壁部３０２ｄの部分をより大きく撓ませることができる。
【００４０】
側壁部３０２ｄを洗い場床１００とは反対側へ撓ませると、図７に表したように、側壁部３０２ｄと、洗い場床１００と、の間において、側壁部３０２ｄを撓ませる前よりも大きい隙間が生ずる。そこで、作業者は、図７に表した矢印Ｂのように、その隙間から光を当てたり、鏡などを挿入し適宜配置させることにより、直接的に又はその鏡を介して間接的に排水トラップ１５０や排水部３１０を目視できる。これにより、作業者は、直接的に又は鏡を介して間接的に排水トラップ１５０や排水部３１０を目視することにより、排水トラップ１５０や排水部３１０から水が漏れていないか否かを確認することができる。あるいは、作業者は、洗い場床１００や浴槽防水パン３００の下に予め敷設しておいた試験紙を、その隙間から矢印Ｂとは反対方向に引き上げ、その引き上げた試験紙を確認することができる。これにより、排水トラップ１５０や排水部３１０から水が漏れていないか否かを確認することができる。
【００４１】
これによれば、作業者は、浴槽防水パン３００に点検口を設けなくとも排水トラップ１５０や排水部３１０からの漏水確認を行うことができるため、浴槽防水パン３００の水密性をより確保しつつ排水トラップ１５０や排水部３１０からの漏水確認を行うことができる。また、作業者は、浴槽防水パン３００の外側であって洗い場床１００の下側に設置された排水管４４２や排水管３２１などからの漏水を確認することもできる。また、試験紙を用いて漏水確認を行う場合には、図４および図５に関して前述した効果と同様の効果を得ることができる。
【００４２】
なお、本実施形態では、洗い場床１００あるいは浴槽４００内に水を流した後に、側壁部３０２ｄを押して撓ませ、側壁部３０２ｄと洗い場床１００との間の隙間から鏡などを挿入する場合を例に挙げて説明したが、これだけに限定されるわけではない。例えば、作業者は、側壁部３０２ｄを押して撓ませ、側壁部３０２ｄと洗い場床１００との間の隙間から鏡などを挿入し適宜配置させた後に、洗い場床１００あるいは浴槽４００内に水を流してもよい。この場合であっても、作業者は、浴槽防水パン３００の水密性をより確保しつつ排水トラップ１５０や排水部３１０からの漏水確認を行うことができる。
【００４３】
次に、本実施形態にかかる浴槽防水パン３００の排水部３１０について説明する。  
図８は、本実施形態にかかる浴槽防水パンを側方から眺めた断面模式図である。  
また、図９は、浴槽防水パンの排水部近傍を拡大して斜めから眺めた断面模式図である。
【００４４】
本実施形態にかかる浴槽防水パン３００は、図１〜図３に関して前述したように、浴槽４００と図示しない給湯配管または追い炊き配管との接続部などから水が漏れた場合であっても、その漏水した水を受けることができる。そして、その受けた水は、浴槽防水パン３００の排水部３１０および排水管３２１を介して排水される。
【００４５】
浴槽防水パン３００の排水部３１０は、図９に表したように、逆止弁カバー３１１と、排水フランジ３１３と、排水エルボ３１５と、を有する。逆止弁カバー３１１は、ねじなどの締結部材３１９により浴槽防水パン３００の底面部３０１に固定されている。また、逆止弁カバー３１１は、貫通孔３１１ａを有し、その貫通孔３１１ａには図示しない逆止弁が設けられている。そして、浴槽防水パン３００内に水が溜まり、図示しない逆止弁に水圧がかかると、その水圧により逆止弁が開く。これにより、浴槽防水パン３００が受けた水は、貫通孔３１１ａおよび図示しない逆止弁を通って排水される。また、逆止弁カバー３１１は、排水エルボ３１５から浴槽防水パン３００内に逆流する水を止水することができる。
【００４６】
また、浴槽防水パン３００の下側（外側）には、排水エルボ３１５が設置されている。排水エルボ３１５は、その上端部において径外方向に延在した鍔部３１５ａを有する。その鍔部３１５ａ近傍であって排水エルボ３１５の内周壁には、例えば雌ねじが形成されている。一方、排水フランジ３１３は、上端部において径外方向に延在した鍔部３１３ａを有する。その鍔部３１３ａの下側であって排水フランジ３１３の外周壁には、例えば雄ねじが形成されている。
【００４７】
そして、排水フランジ３１３の鍔部３１３ａと、排水エルボ３１５の鍔部３１５ａと、の間に浴槽防水パン３００の底面部３０１を挟設させ、排水フランジ３１３の雄ねじを排水エルボ３１５の雌ねじに螺合させて締め付けることにより、排水エルボ３１５を底面部３０１に取り付けることができる。なお、排水部孔３０９（図５参照）の内周部には、図９に表したように、例えばゴムなどの弾性を有する材質から形成されたパッキン３１７が設けられている。つまり、排水フランジ３１３と底面部３０１との間、および底面部３０１と排水エルボ３１５との間には、パッキン３１７が挟設されている。これにより、排水エルボ３１５は、浴槽防水パン３００の底面部３０１に水密的に固定されている。
【００４８】
排水エルボ３１５の一端には、図３に表したように、排水管３２１が接続されている。そのため、浴槽４００と給湯配管または追い炊き配管との接続部などから浴槽防水パン３００内に漏水した水は、逆止弁カバー３１１と、排水フランジ３１３と、排水エルボ３１５と、排水管３２１と、通って排水トラップ１５０に導かれる。
【００４９】
なお、浴槽防水パン３００の底面部３０１と、浴槽防水パン３００の上端部３０４（図４参照）と、の中間部近傍には、浴槽防水パン３００内の水を洗い場床１００に導く図示しないドレン排水管が設けられている。これによれば、逆止弁カバー３１１や排水エルボ３１５において水詰まりが生じ、浴槽防水パン３００が受けた水を排水管３２１から排水トラップ１５０に向かって導水できない場合であっても、水位が上昇した浴槽防水パン３００内の水をドレン排水管を通して洗い場床１００に導くことができる。
【００５０】
以上説明したように、本実施形態によれば、浴槽防水パン３００の側壁部３０２ｄには、上下方向に形成された蛇腹部３０３が設けられ、その浴槽防水パン３００は、例えばＰＰやＡＢＳなどの樹脂により形成されている。そのため、作業者は、浴槽防水パン３００の側壁部３０２ｄを洗い場床１００とは反対側へ撓ませることができ、側壁部３０２ｄと洗い場床１００との間に生じたより大きい隙間（スペース）から、例えば光を当てたり鏡などを挿入できる。これによれば、作業者は、直接的に又は鏡を介して間接的に排水トラップ１５０や排水部３１０や排水管４４２、３２１を目視することにより、排水トラップ１５０や排水部３１０や排水管４４２、３２１から水が漏れていないか否かを確認することができる。そのため、作業者は、浴槽防水パン３００の水密性をより確保しつつ排水トラップ１５０や排水部３１０や排水管４４２、３２１からの漏水確認を行うことができる。あるいは、作業者は、洗い場床１００や浴槽防水パン３００の下に予め敷設しておいた試験紙を、側壁部３０２ｄと洗い場床１００との間に生じたより大きい隙間（スペース）から引き上げ、その引き上げた試験紙を確認することができる。これにより、排水トラップ１５０や排水部３１０や排水管４４２、３２１から水が漏れていないか否かを確認することができる。
【００５１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴槽防水パン３００などが備える各要素の形状、寸法、材質、配置などや排水管４４１、４４２、３２１および排水トラップ１５０や排水部３１０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５２】
１００ 洗い場床、  １１０ 支持脚、  １５０ 排水トラップ、  １６１ 排水管、  ２１０ 洗い場架台、  ２２０ 浴槽架台、  ２１１、２２１ 支持脚、  ３００ 浴槽防水パン、  ３０１ 底面部、  ３０２ａ、３０２ｂ、３０２ｃ、３０２ｄ 側壁部、  ３０３ 蛇腹部、  ３０４ 上端部、  ３０５ 凹部、  ３０７ 排水管孔、  ３０９ 排水部孔、  ３１０ 排水部、  ３１１ 逆止弁カバー、  ３１１ａ 貫通孔、  ３１３ 排水フランジ、  ３１３ａ 鍔部、  ３１５ 排水エルボ、  ３１５ａ 鍔部、  ３１７ パッキン、  ３１９ 締結部材、  ３２１ 排水管、  ４００ 浴槽、  ４０１ 底面部、  ４０２ａ、４０２ｂ、４０２ｃ、４０２ｄ 側壁部、  ４０５ 浴槽リム、  ４３０ 排水部、  ４４１、４４２ 排水管、  ５００ バスエプロン
【図１】
2010270533.tif 000003
【図２】
2010270533.tif 000004
【図３】
2010270533.tif 000005
【図４】
2010270533.tif 000006
【図５】
2010270533.tif 000007
【図６】
2010270533.tif 000008
【図７】
2010270533.tif 000009
【図８】
2010270533.tif 000010
【図９】
2010270533.tif 000011